(57)【要約】【課題】蓋を筐体に容易に装着することができ、筐体に固定されていた蓋が不用意に外れる可能性を低減させることができる蓋固定構造を提供する。【解決手段】蓋は、筐体１００に装着されている。蓋の側面には、筐体１００に対する係合部が形成されている。蓋は、弾性を有する舌片５１１，５１２を有する。筐体１００は、係合部と係合する被係合部（開口１７，１８）と、舌片５１１，５１２を筐体１００の内部へと通すための開口を有する。筐体１００は、筐体１００の内部へと通された舌片５１１，５１２が接触して舌片５１１，５１２を変形させ、蓋を筐体１００の内部へと引き込む引き込み力を発生させる当て部（突出リブ１１０，１２０）を有する。【選択図】図７
2016063106.tif 000002
【特許請求の範囲】
【請求項１】
筐体と、前記筐体に装着する蓋とを備え、
前記蓋は、側面側の互いに対向する第１の端部と第２の端部のうち、前記第１の端部側の側面に前記筐体に対する係合部が形成された本体部と、前記本体部に取り付けられた弾性を有する舌片とを有し、
前記筐体は、前記係合部と係合する被係合部と、前記舌片を前記筐体の内部へと通すための開口と、前記筐体の内部へと通された前記舌片が接触して前記舌片を変形させ、前記蓋を前記筐体の内部へと引き込む引き込み力を発生させる当て部とを有する
ことを特徴とする蓋固定構造。
【請求項２】
前記本体部は、前記第１の端部側の側面のみに前記係合部が形成され、前記舌片は、前記第２の端部側に取り付けられており、
前記当て部は、前記蓋の前記第２の端部側を前記筐体の内部へと引き込む引き込み力を発生させる
ことを特徴とする請求項１記載の蓋固定構造。
【請求項３】
前記係合部と前記被係合部との係合によって前記蓋を前記筐体に固定する固定点が形成され、
前記当て部は、前記引き込み力として、前記固定点を中心とした回転力を発生させる
ことを特徴とする請求項１または２に記載の蓋固定構造。
【請求項４】
前記舌片には、長手方向の中間部に屈曲箇所が形成され、前記舌片は、前記屈曲箇所より先端側の部分が前記当て部と接触する方向に折れ曲がっていることを特徴とする請求項１〜３のいずれか１項に記載の蓋固定構造。
【請求項５】
前記係合部は前記側面より突出した爪であり、前記被係合部は前記爪と係合する開口であることを特徴とする請求項１〜４のいずれか１項に記載の蓋固定構造。
【発明の詳細な説明】
【技術分野】
【０００１】
本発明は、筐体に蓋を固定するための蓋固定構造に関する。
【背景技術】
【０００２】
例えば電子機器の筐体には、メモリカードを挿入するため、開口が形成されていることがある。メモリカードを差し込むとき及び抜き出すとき以外、開口は蓋で塞がれる。
【０００３】
筐体には、開口を塞ぐ蓋を収納する収納凹部が形成されるのが一般的である。収納凹部に蓋を固定する蓋固定構造の一例として、次のような構造がある。
【０００４】
蓋には、対向する２つの側面に、係合部の一例としての爪が形成される。収納凹部には、２つの側面の爪それぞれと係合する被係合部が形成される。蓋の２つの側面の爪を被係合部に係合させることによって、蓋は開口を覆うように収納凹部に固定される。
【先行技術文献】
【特許文献】
【０００５】
【特許文献１】特開２００６−１７９３９３号公報
【発明の概要】
【発明が解決しようとする課題】
【０００６】
蓋の対向する２つの側面に爪を形成した構造においては、２つの側面の爪を、２つの側面の爪それぞれに対応した被係合部に係合させなければならないため、蓋を収納凹部に装着する作業が煩雑となる。
【０００７】
そこで、蓋には、１つの側面のみに爪を形成し、収納凹部には、１つの側面の爪と係合する被係合部を形成して、蓋の１つの側面の爪を被係合部に係合させる構造とすれば、蓋を収納凹部に装着する作業は容易となる。
【０００８】
ところが、蓋の１つの側面の爪を被係合部に係合させる構造とすると、蓋の爪を形成していない側の側面は収納凹部の端面と接触した状態となるのみである。よって、蓋は、収納凹部から、爪を形成していない側の側面より外れやすくなってしまう。
【０００９】
例えば、筐体に継続的な振動が加わると、筐体に固定されている蓋が不用意に外れることがあるという問題点がある。
【００１０】
本発明はこのような問題点に鑑み、蓋を筐体に容易に装着することができ、筐体に固定されていた蓋が不用意に外れる可能性を低減させることができる蓋固定構造を提供することを目的とする。
【課題を解決するための手段】
【００１１】
本発明は、上述した従来の技術の課題を解決するため、筐体と、前記筐体に装着する蓋とを備え、前記蓋は、側面側の互いに対向する第１の端部と第２の端部のうち、前記第１の端部側の側面に前記筐体に対する係合部が形成された本体部と、前記本体部に取り付けられた弾性を有する舌片とを有し、前記筐体は、前記係合部と係合する被係合部と、前記舌片を前記筐体の内部へと通すための開口と、前記筐体の内部へと通された前記舌片が接触して前記舌片を変形させ、前記蓋を前記筐体の内部へと引き込む引き込み力を発生させる当て部とを有することを特徴とする蓋固定構造を提供する。
【発明の効果】
【００１２】
本発明の蓋固定構造によれば、蓋を筐体に容易に装着することができ、筐体に固定されていた蓋が不用意に外れる可能性を低減させることができる。
【図面の簡単な説明】
【００１３】
【図１】一実施形態の蓋固定構造を搭載したディスプレイ装置を示す斜視図である。
【図２】一実施形態の蓋固定構造で用いる蓋を装着した筐体を示す斜視図である。
【図３】一実施形態の蓋固定構造で用いる蓋の具体的な形状を示す斜視図である。
【図４】一実施形態の蓋固定構造で用いる蓋を底面から見た平面図である。
【図５】筐体に形成された蓋の収納凹部の構造を説明するための斜視図である。
【図６】筐体の内面側の構造を説明するための斜視図である。
【図７】蓋を装着した筐体の内面側の状態を示す部分斜視図である。
【図８】一実施形態の蓋固定構造による作用を説明するための部分斜視図である。
【発明を実施するための形態】
【００１４】
以下、一実施形態の蓋固定構造について、添付図面を参照して説明する。本実施形態の蓋固定構造は、電子機器の筐体に形成されている開口を塞ぐ蓋を筐体に固定するための構造として採用されている場合を例とする。以下説明する本実施形態においては、電子機器はディスプレイ装置である場合を例とする。
【００１５】
図１において、ディスプレイ装置３００は、筐体１００と、液晶パネル２００とを備える。筐体１００は、合成樹脂によって形成されている。液晶パネル２００は、各種の情報を表示する表示部の一例である。後述するように、筐体１００の一面は開放面となっている。液晶パネル２００は、開放面を覆っている。
【００１６】
後述するように、筐体１００の側面部には、メモリカードをディスプレイ装置３００内部に挿入するための開口が形成されている。蓋５０は、開口を塞ぐように筐体１００に装着されている。
【００１７】
図２は、筐体１００に蓋５０を装着した状態を示している。図２は、ディスプレイ装置３００より液晶パネル２００を取り外し、さらに、筐体１００の凹部に収納された回路基板（図示せず）等の各種の部品を全て取り除いた状態を示している。
【００１８】
図２に示すように、筐体１００の一面は開放面１０１となっている。筐体１００の内面には、補強用のリブ１１，１２が一体的に形成されている。筐体１００の開放面１０１側はディスプレイ装置３００の表面側、筐体１００の底部側はディスプレイ装置３００の裏面側である。
【００１９】
蓋５０の側面側の互いに対向する両端部を、第１の端部と第２の端部とする。蓋５０を筐体１００に装着したとき、蓋５０におけるディスプレイ装置３００の表面側及び裏面側を蓋５０の側面側とする。第１の端部側は後述する側面５０ａとなっており、第２の端部側は後述する角部５０ｂとなっている。
【００２０】
筐体１００の側面部には、側面５０ａに隣接して、蓋５０を開けるための凹部１３が形成されている。指の先端を凹部１３に差し込み、側面５０ａ側を持ち上げると、蓋５０を開けることができる。
【００２１】
図３及び図４を用いて、蓋５０の具体的な形状を説明する。蓋５０は、本体部５０１と、本体部５０１より突出した舌片５１１，５１２とを有する。本体部５０１は、筐体１００と同程度の硬さを有する合成樹脂によって形成されている。筐体１００と本体部５０１とは、同じ種類の合成樹脂によって形成してもよい。
【００２２】
本体部５０１の側面５０ａには、側面５０ａより突出した爪５１，５２と、凹部５３が形成されている。爪５１，５２は、本体部５０１の幅方向の両端部に形成されている。爪５１，５２は、筐体１００に形成されている後述の被係合部に係合する係合部の一例である。
【００２３】
凹部５３は、指の先端を凹部１３に差し込んで側面５０ａ側を持ち上げるときに、指を引っ掛けるために設けられている。
【００２４】
図４は、蓋５０を底面側から見た平面図である。蓋５０の底面とは、図１，図２の状態で、本体部５０１の下方側の端面である。図３，図４に示すように、側面５０ａとは反対側の端部は、鋭角状の角部５０ｂとなっている。
【００２５】
本体部５０１の内面側には、角部５０ｂと隣接した平坦面５０ｃが形成されている。角部５０ｂと舌片５１１，５１２との間が平坦面５０ｃとなっている。舌片５１１，５１２は、本体部５０１の第２の端部側に設けられている。
【００２６】
舌片５１１，５１２は、弾性部材によって形成されている。弾性部材は例えばゴム（エラストマ）である。舌片５１１，５１２は、金属製の板ばねであってもよい。舌片５１１，５１２には、幅方向の中央部に、溝状の開口５１３，５１４が形成されている。
【００２７】
本体部５０１及び舌片５１１，５１２を成形可能な材料で形成する場合、蓋５０は二色成形（異材質成形）によって製造することができる。舌片５１１，５１２は、本体部５０１に取り付けられていればよい。本体部５０１とは別部品の舌片５１１，５１２を本体部５０１に取り付けて、蓋５０とすることも可能である。
【００２８】
図３，図４に示すように、舌片５１１，５１２は、長手方向のほぼ中央部で折れ曲がっている。蓋５０を筐体１００の側面部に装着した状態で、舌片５１１，５１２は、開放面１０１側に凸の状態で折れ曲がっている。
【００２９】
次に、図５及び図６を用いて、筐体１００における蓋５０を装着する部分の具体的な形状を説明する。図５及び図６は、筐体１００より蓋５０を取り外した状態を示している。
【００３０】
図５に示すように、筐体１００の側面部には、蓋５０の本体部５０１を収納するための収納凹部１０が形成されている。収納凹部１０は、本体部５０１の厚みに対応した深さで形成されている。よって、蓋５０を収納凹部１０に装着すると、図２に示すように、筐体１００の側面部は、ほぼ連続的な曲面を形成する。
【００３１】
収納凹部１０の底面には、メモリカードを挿入するための幅の広い開口１４と、舌片５１１，５１２を筐体１００の内部へと通すための幅の狭い開口１５，１６とが形成されている。開口１５，１６に隣接して、蓋５０が収納凹部１０に装着されたときに、平坦面５０ｃが接触する平坦面１０ｃが形成されている。
【００３２】
図６に示すように、開放面１０１の端部には、開放面１０１と平行な壁部１９が形成されている。図６における壁部１９の下面側が収納凹部１０である。壁部１９には、蓋５０を収納凹部１０に装着したときに、爪５１，５２が係合する被係合部としての開口１７，１８が形成されている。
【００３３】
リブ１１，１２の収納凹部１０（壁部１９）側の端部には、背の高い突出リブ１１０，１２０が形成されている。突出リブ１１０，１２０の上端部（開放面１０１側の端部）は、開口１５，１６における筐体１００の底部側の端部とほぼ同じ高さとなっている。
【００３４】
突出リブ１１０，１２０の収納凹部１０側の端部には、鋭角状に突出した突起１１１，１２１が形成されている。
【００３５】
舌片５１１，５１２の幅は、リブ１１，１２（突出リブ１１０，１２０）の幅とほぼ同じである。
【００３６】
舌片５１１，５１２を開口１５，１６に挿入し、本体部５０１を収納凹部１０に押し込むと、爪５１，５２が壁部１９の裏面の開口１７，１８の近傍に接触しつつ移動して、開口１７，１８の端部に係合する。
【００３７】
係合部である爪５１，５２が被係合部である開口１７，１８に係合すると、本体部５０１を収納凹部１０に固定する固定点が形成される。このように、本実施形態の蓋固定構造は、蓋５０の第１の端部側に、蓋５０を筐体１００に対して能動的に固定させる固定点を有する。
【００３８】
一方、側面５０ａとは反対側の角部５０ｂまたは平坦面５０ｃには、爪等の係合部を設けていないため、平坦面５０ｃは単に平坦面１０ｃと接触した状態となる。蓋５０は、蓋５０の第２の端部側に、能動的な固定点を有していない。
【００３９】
以上のようにして、蓋５０を筐体１００に装着した状態が図１，図２である。このとき、蓋５０は、収納凹部１０に対して嵌合した状態となっている。蓋５０は側面５０ａ側のみに爪５１，５２を有するので、蓋５０を筐体１００に容易に装着することができる。
【００４０】
図７に示すように、舌片５１１，５１２の先端部は、突出リブ１１０，１２０と接触する。舌片５１１，５１２の先端部は、突出リブ１１０，１２０によって持ち上げられ、舌片５１１，５１２は変形する。
【００４１】
上記のように、舌片５１１，５１２は弾性を有し、長手方向のほぼ中央部で折れ曲がっている。舌片５１１，５１２は、中央部の屈曲箇所より先端側の部分が、突出リブ１１０，１２０に接触する方向に折れ曲がっている。なお、屈曲箇所は長手方向の中央部に限定されず、中間部であればよい。
【００４２】
よって、舌片５１１，５１２の先端部には、舌片５１１，５１２を開放面１０１側に持ち上げる力が発生する。この力は、蓋５０を筐体１００の内部へと引き込む引き込み力として作用する。
【００４３】
突出リブ１１０，１２０は、舌片５１１，５１２が接触して舌片５１１，５１２を変形させ、蓋５０を筐体１００の内部へと引き込む引き込み力を発生させる当て部の一例である。
【００４４】
突起１１１，１２１は、舌片５１１，５１２の溝状の開口５１３，５１４に嵌まり込む。
【００４５】
蓋５０が図７に示すように筐体１００に装着されると、筐体１００の凹部には、回路基板等が装着される。回路基板は、突起１１１，１２１と接触または近接する。よって、舌片５１１，５１２は、突出リブ１１０，１２０と回路基板とで挟まれた状態となる。
【００４６】
蓋５０を側面５０ａ側から持ち上げて爪５１，５２と開口１７，１８との係合を解除し、蓋５０を開けると、舌片５１１，５１２は外側へと引っ張られる。突起１１１，１２１は、舌片５１１，５１２の外側への移動を規制するストッパとして作用する。
【００４７】
図８を用いて、舌片５１１，５１２及び当て部の作用をさらに具体的に説明する。図８は、蓋５０が装着されている状態の筐体１００を舌片５１１，５１２の間で切断した状態を示している。
【００４８】
図８に示すように、舌片５１１の先端部には、舌片５１１を開放面１０１側に持ち上げる力Ｆが発生する。図８では図示されていない舌片５１２も同様であり、舌片５１２の先端部には、舌片５１２を開放面１０１側に持ち上げる力Ｆが発生する。
【００４９】
本実施形態においては、舌片５１１，５１２に発生する力Ｆは、爪５１，５２と開口１７，１８とより形成される固定点を支点とした回転力となる。蓋５０の平坦面５０ｃには、回転力によって、平坦面５０ｃを筐体１００の内部へと引き込む引き込み力がかかる。
【００５０】
平坦面５０ｃ（または角部５０ｂ）には蓋５０を収納凹部１０に固定するための爪が形成されておらず、平坦面５０ｃは単に平坦面１０ｃと接触した状態である。しかしながら、力Ｆによって蓋５０が筐体１００の内部へと引き込まれているので、筐体１００（収納凹部１０）に固定されている蓋５０が不用意に外れることはほとんどない。
【００５１】
以上説明した本実施形態の蓋固定構造は、次のように変形してもよい。係合部は爪５１，５２以外であってもよい。蓋５０に弾性体により形成した突出部を設け、突出部を、筐体１００に形成した凹部に圧入させる構造であってもよい。この場合、突出部が係合部であり、凹部が被係合部である。
【００５２】
当て部は、リブ１１，１２と連続した突出リブ１１０，１２０でなくてもよい。リブ１１，１２と直交する方向のリブを当て部としてもよい。当て部は、薄板状のリブでなくてもよく、所定の面積を有するフランジ状の突出部であってもよい。当て部は、舌片５１１，５１２に接触して舌片５１１，５１２を持ち上げればよく、形状や位置は適宜設定すればよい。
【００５３】
蓋５０を筐体１００の内部へと引き込む引き込み力は、図８の力Ｆとして示すような回転力に限定されない。引き込み力の方向は、図８に示す方向に限定されない。
【００５４】
本実施形態においては、筐体１００の側面部にメモリカードを挿入するための開口１４が形成されており、蓋５０が開口１４を塞ぐ構成としたが、これに限定されるものではない。
【００５５】
筐体１００に充電用のコネクタを接続するための接続端子が設けられており、蓋が接続端子を覆う構成であってもよい。筐体１００に機器を操作するための操作ボタンが設けられており、蓋が操作ボタンを覆う構成であってもよい。蓋が塞いだり覆ったりする対象物は任意である。
【００５６】
本実施形態の蓋固定構造は、電子機器以外の任意の機器の筐体に蓋を固定するための構造として採用することが可能である。蓋固定構造を用いる機器の種類及び用途は特に限定されるものではない。
【００５７】
本発明は以上説明した本実施形態及び変形例に限定されるものではなく、本発明の要旨を逸脱しない範囲において種々変更可能である。
【符号の説明】
【００５８】
１４〜１６  開口
１７，１８  開口（被係合部）
５０  蓋
５１，５２  爪（係合部）
１００  筐体
１１０，１２０  突出リブ（当て部）
５０１  本体部
５１１，５１２  舌片
【図１】
2016063106.tif 000003
【図２】
2016063106.tif 000004
【図３】
2016063106.tif 000005
【図４】
2016063106.tif 000006
【図５】
2016063106.tif 000007
【図６】
2016063106.tif 000008
【図７】
2016063106.tif 000009
【図８】
2016063106.tif 000010